(57)【要約】【課題】ユーザの行った操作にて、ユーザの意図する処理とは異なる処理が行われる誤操作を低減させる。【解決手段】電子機器が、ユーザ操作を受ける入力デバイスと、複数の判定基準を切り替えて用いて、前記入力デバイスへのユーザ操作にて要求されている処理を判定する要求処理判定部と、前記要求処理判定部が判定した処理を実行する処理実行部と、前記入力デバイスの少なくとも一部分について、当該入力デバイスへの操作体の近接を検出する近接検出部と、前記近接検出部が前記入力デバイスの少なくとも一部分への前記操作体の近接を検出すると、前記判定基準の切替を少なくとも一時的に抑制する切替抑制部と、を具備する。【選択図】図１
2014119875.tif 000002
【特許請求の範囲】
【請求項１】
ユーザ操作を受ける入力デバイスと、
複数の判定基準を切り替えて用いて、前記入力デバイスへのユーザ操作にて要求されている処理を判定する要求処理判定部と、
前記要求処理判定部が判定した処理を実行する処理実行部と、
前記入力デバイスの少なくとも一部分について、当該入力デバイスへの操作体の近接を検出する近接検出部と、
前記近接検出部が前記入力デバイスの少なくとも一部分への前記操作体の近接を検出すると、前記判定基準の切替を少なくとも一時的に抑制する切替抑制部と、
を具備することを特徴とする電子機器。
【請求項２】
表示画面を有する表示部を具備し、
前記表示画面に設けられて当該表示画面へのタッチ操作を前記ユーザ操作として検出するタッチセンサを前記入力デバイスとして具備し、
前記表示部は、前記要求処理判定部が用いている判定基準に応じてタッチ領域を前記表示画面に表示する
ことを特徴とする請求項１に記載の電子機器。
【請求項３】
前記切替抑制部は、前記表示画面に表示されているタッチ領域のうち、前記判定基準の切替にてタッチ操作の際の処理が変更されるタッチ領域への前記操作体の近接を前記近接検出部が検出すると、前記判定基準の切替を少なくとも一時的に抑制することを特徴とする請求項２に記載の電子機器。
【請求項４】
前記切替抑制部は、前記近接検出部が前記入力デバイスの少なくとも一部分への前記操作体の近接を検出すると、前記表示部が前記表示画面に表示する画像の切替を少なくとも一時的に抑制する
ことを特徴とする請求項２または３に記載の電子機器。
【請求項５】
前記表示部は、前記切替抑制部が前記判定基準の切替を抑制している状態で前記表示画面に表示する画像を切り替える場合、画像の切替前に表示していたタッチ領域の表示を継続することを特徴とする請求項２または３に記載の電子機器。
【請求項６】
ユーザ操作を受ける入力デバイスと、
複数の判定基準を切り替えて用いて、前記入力デバイスへのユーザ操作にて要求されている処理を判定する要求処理判定部と、
前記要求処理判定部が判定した処理を示す信号を出力する要求処理信号出力部と、
前記入力デバイスの少なくとも一部分について、当該入力デバイスへの操作体の近接を検出する近接検出部と、
前記近接検出部が前記入力デバイスの少なくとも一部分への前記操作体の近接を検出すると、前記判定基準の切替を少なくとも一時的に抑制する切替抑制部と、
を具備することを特徴とする操作入力装置。
【請求項７】
電子機器の操作入力処理方法であって、
入力デバイスへのユーザ操作を検出するユーザ操作検出ステップと、
複数の判定基準を切り替えて用いて、前記ユーザ操作検出ステップにて検出した前記入力デバイスへのユーザ操作にて要求されている処理を判定する要求処理判定ステップと、
前記要求処理判定ステップにて判定した処理を実行する処理実行ステップと、
前記入力デバイスの少なくとも一部分について、当該入力デバイスへの操作体の近接を検出する近接検出ステップと、
前記近接検出ステップにて前記入力デバイスの少なくとも一部分への前記操作体の近接を検出すると、前記判定基準の切替を少なくとも一時的に抑制する切替抑制ステップと、
を具備することを特徴とする操作入力処理方法。
【請求項８】
操作入力装置の操作入力処理方法であって、
入力デバイスへのユーザ操作を検出するユーザ操作検出ステップと、
複数の判定基準を切り替えて用いて、前記ユーザ操作検出ステップにて検出した前記入力デバイスへのユーザ操作にて要求されている処理を判定する要求処理判定ステップと、
前記要求処理判定ステップにて判定した処理を示す信号を出力する要求処理信号出力ステップと、
前記入力デバイスの少なくとも一部分について、当該入力デバイスへの操作体の近接を検出する近接検出ステップと、
前記近接検出ステップにて前記入力デバイスの少なくとも一部分への前記操作体の近接を検出すると、前記判定基準の切替を少なくとも一時的に抑制する切替抑制ステップと、
を具備することを特徴とする操作入力処理方法。
【請求項９】
電子機器を制御するコンピュータに、
入力デバイスへのユーザ操作を検出するユーザ操作検出ステップと、
複数の判定基準を切り替えて用いて、前記ユーザ操作検出ステップにて検出した前記入力デバイスへのユーザ操作にて要求されている処理を判定する要求処理判定ステップと、
前記要求処理判定ステップにて判定した処理を示す信号を出力する要求処理信号出力ステップと、
前記入力デバイスの少なくとも一部分について、当該入力デバイスへの操作体の近接を検出する近接検出ステップと、
前記近接検出ステップにて前記入力デバイスの少なくとも一部分への前記操作体の近接を検出すると、前記判定基準の切替を少なくとも一時的に抑制する切替抑制ステップと、
を実行させるためのプログラム。
【請求項１０】
操作入力装置を制御するコンピュータに、
入力デバイスへのユーザ操作を検出するユーザ操作検出ステップと、
複数の判定基準を切り替えて用いて、前記ユーザ操作検出ステップにて検出した前記入力デバイスへのユーザ操作にて要求されている処理を判定する要求処理判定ステップと、
前記要求処理判定ステップにて判定した処理を示す信号を出力する要求処理信号出力ステップと、
前記入力デバイスの少なくとも一部分について、当該入力デバイスへの操作体の近接を検出する近接検出ステップと、
前記近接検出ステップにて前記入力デバイスの少なくとも一部分への前記操作体の近接を検出すると、前記判定基準の切替を少なくとも一時的に抑制する切替抑制ステップと、
を実行させるためのプログラム。
【発明の詳細な説明】
【技術分野】
【０００１】
本発明は、電子機器、操作入力装置、操作入力処理方法およびプログラムに関する。
【背景技術】
【０００２】
タッチパネルなどの入力デバイスにおける誤操作を防止するための幾つかの技術が提案されている。
例えば、特許文献１に記載の操作入力装置は、人体の少なくとも一部の近接に応じて操作案内画面を表示すると共に前記操作案内画面から操作入力を行える操作入力装置において、画像を表示する表示部と、前記操作案内画面に対して操作入力を行うための操作入力部と、前記操作入力部に対して物体の接近を検出する近接検出部と、前記近接検出部の検出結果に応じて前記物体が前記表示部に対して近接しているか否かを判定する近接判定部と、前記近接判定部で前記物体が近接していると判定した時の軌跡を測定する軌跡測定部と、前記軌跡測定部で測定された前記軌跡を記録する軌跡記録部と、前記操作入力部による操作が行われたことを判定する操作検出部と、前記近接判定部で前記物体の近接を判定すると共に前記操作検出部で操作が行われていないと判定した際に前記記録部に記録された軌跡を誤検知軌跡として修正する軌跡修正部と、前記近接判定部により前記物体の近接を判定すると共に前記操作検出部で操作が行われていると判定した際に前記記録部に記録された誤検知軌跡と前記軌跡測定部で測定された前記軌跡を比較する軌跡比較判定部と、前記軌跡比較判定部の判定結果に基づいて前記表示部を制御する表示制御部と、を備える。
これにより、特許文献１に記載の操作入力装置では、人体が意図せずに接近した場合は、操作案内画面の表示などを表示しないようにする、とされている。
【０００３】
また、特許文献２に記載の車両用操作入力装置は、操作パネルと、該操作パネル上の指示位置を表示するための位置指示画像を表示する表示装置とを備える車両用操作入力装置であって、操作パネルに対向する手の指状態が、操作意思表示用指状態であるか否かを特定し、当該指状態が特定されると位置指示画像の表示を許可し、当該指状態が特定されないと位置指示画像の表示を禁止したままとなる。
これにより、特許文献２に記載の車両用操作入力装置では、遠隔操作部において誤操作がされ難い、とされている。
【先行技術文献】
【特許文献】
【０００４】
【特許文献１】特開２０１２−１１８７６１号公報
【特許文献２】特開２００９−２５５９０３号公報
【発明の概要】
【発明が解決しようとする課題】
【０００５】
誤操作の１つとして、ユーザが操作を行う直前に新たな機能が立ち上がるなどして、ユーザの行った操作にて、ユーザの意図する処理とは異なる処理が行われてしまうことが考えられる。
例えば、タッチパネルを具備する電子機器において、タッチ操作が行われた際の動作は、当該電子機器が実行するソフトウェアや、タッチパネルに設定されているタッチ領域の位置により異なる。そのため、タッチする寸前に別のソフトウェアが起動する、あるいは、縦画面から横画面への切り替えが行われるなどにより、タッチ領域の設定が変化すると、ユーザが、意図するタッチ領域とは異なるタッチ領域をタッチしてしまうおそれがある。かかるタッチにより、電子機器は、意図しない動作をしてしまう。
【０００６】
さらに例えば、ユーザが、電車内でスマートフォンを用いてメール操作をしている際、メール操作のために画面にタッチしようとした瞬間に着信があると、スマートフォンの画面が着信画面に切り替わり、タッチ操作が通話開始操作として処理されることが考えられる。この場合、ユーザが、電車内なので着信保留したいと思っていても、着信応答してしまうことになる。
【０００７】
上記の各例の場合、ユーザは意図的にタッチ操作を行っているので、タッチ操作を行う指などの軌跡と、誤検知軌跡として記録されている軌跡とを比較しても、当該タッチ操作を誤操作として検出することはできないと考えられる。従って、特許文献１に示されている技術では、かかる誤操作を防止することはできない。
また、ユーザは意図的にタッチ操作を行っているので、ユーザの手の指状態が操作意思表示用指状態であるか否かを特定しても、当該タッチ操作を誤操作として検出することはできないと考えられる。従って、特許文献２に示されている技術でも、かかる誤操作を防止することはできない。
【０００８】
本発明は、上述の課題を解決することのできる電子機器、操作入力装置、操作入力処理方法およびプログラムを提供することを目的としている。
【課題を解決するための手段】
【０００９】
この発明は上述した課題を解決するためになされたもので、本発明の一態様による電子機器は、ユーザ操作を受ける入力デバイスと、複数の判定基準を切り替えて用いて、前記入力デバイスへのユーザ操作にて要求されている処理を判定する要求処理判定部と、前記要求処理判定部が判定した処理を実行する処理実行部と、前記入力デバイスの少なくとも一部分について、当該入力デバイスへの操作体の近接を検出する近接検出部と、前記近接検出部が前記入力デバイスの少なくとも一部分への前記操作体の近接を検出すると、前記判定基準の切替を少なくとも一時的に抑制する切替抑制部と、を具備することを特徴とする。
【００１０】
また、本発明の一態様による操作入力装置は、ユーザ操作を受ける入力デバイスと、複数の判定基準を切り替えて用いて、前記入力デバイスへのユーザ操作にて要求されている処理を判定する要求処理判定部と、前記要求処理判定部が判定した処理を示す信号を出力する要求処理信号出力部と、前記入力デバイスの少なくとも一部分について、当該入力デバイスへの操作体の近接を検出する近接検出部と、前記近接検出部が前記入力デバイスの少なくとも一部分への前記操作体の近接を検出すると、前記判定基準の切替を少なくとも一時的に抑制する切替抑制部と、を具備することを特徴とする。
【００１１】
また、本発明の一態様による操作入力処理方法は、電子機器の操作入力処理方法であって、入力デバイスへのユーザ操作を検出するユーザ操作検出ステップと、複数の判定基準を切り替えて用いて、前記ユーザ操作検出ステップにて検出した前記入力デバイスへのユーザ操作にて要求されている処理を判定する要求処理判定ステップと、前記要求処理判定ステップにて判定した処理を実行する処理実行ステップと、前記入力デバイスの少なくとも一部分について、当該入力デバイスへの操作体の近接を検出する近接検出ステップと、前記近接検出ステップにて前記入力デバイスの少なくとも一部分への前記操作体の近接を検出すると、前記判定基準の切替を少なくとも一時的に抑制する切替抑制ステップと、を具備することを特徴とする。
【００１２】
また、本発明の一態様による操作入力処理方法は、操作入力装置の操作入力処理方法であって、入力デバイスへのユーザ操作を検出するユーザ操作検出ステップと、複数の判定基準を切り替えて用いて、前記ユーザ操作検出ステップにて検出した前記入力デバイスへのユーザ操作にて要求されている処理を判定する要求処理判定ステップと、前記要求処理判定ステップにて判定した処理を示す信号を出力する要求処理信号出力ステップと、前記入力デバイスの少なくとも一部分について、当該入力デバイスへの操作体の近接を検出する近接検出ステップと、前記近接検出ステップにて前記入力デバイスの少なくとも一部分への前記操作体の近接を検出すると、前記判定基準の切替を少なくとも一時的に抑制する切替抑制ステップと、を具備することを特徴とする。
【００１３】
また、本発明の一態様によるプログラムは、電子機器を制御するコンピュータに、入力デバイスへのユーザ操作を検出するユーザ操作検出ステップと、複数の判定基準を切り替えて用いて、前記ユーザ操作検出ステップにて検出した前記入力デバイスへのユーザ操作にて要求されている処理を判定する要求処理判定ステップと、前記要求処理判定ステップにて判定した処理を示す信号を出力する要求処理信号出力ステップと、前記入力デバイスの少なくとも一部分について、当該入力デバイスへの操作体の近接を検出する近接検出ステップと、前記近接検出ステップにて前記入力デバイスの少なくとも一部分への前記操作体の近接を検出すると、前記判定基準の切替を少なくとも一時的に抑制する切替抑制ステップと、を実行させるためのプログラムである。
【００１４】
また、本発明の一態様によるプログラムは、操作入力装置を制御するコンピュータに、入力デバイスへのユーザ操作を検出するユーザ操作検出ステップと、複数の判定基準を切り替えて用いて、前記ユーザ操作検出ステップにて検出した前記入力デバイスへのユーザ操作にて要求されている処理を判定する要求処理判定ステップと、前記要求処理判定ステップにて判定した処理を示す信号を出力する要求処理信号出力ステップと、前記入力デバイスの少なくとも一部分について、当該入力デバイスへの操作体の近接を検出する近接検出ステップと、前記近接検出ステップにて前記入力デバイスの少なくとも一部分への前記操作体の近接を検出すると、前記判定基準の切替を少なくとも一時的に抑制する切替抑制ステップと、を実行させるためのプログラムである。
【発明の効果】
【００１５】
本発明によれば、ユーザの行った操作にて、ユーザの意図する処理とは異なる処理が行われる誤操作を低減させることができる。
【図面の簡単な説明】
【００１６】
【図１】本発明の第１の実施形態における電子機器の機能構成を示す概略ブロック図である。
【図２】同実施形態における携帯端末装置の機能構成を示す概略ブロック図である。
【図３】同実施形態における近接検出部が有する距離センサの配置例を示す説明図である。
【図４】同実施形態の切替抑制部が画像の切替を抑制する前の状態における画面画像の例を示す説明図である。
【図５】同実施形態の切替抑制部が画像の切替を抑制している状態における画面画像の例を示す説明図である。
【図６】同実施形態において、携帯端末装置が機能を実行する処理手順を示すフローチャートである。
【図７】同実施形態において、画像の切替前に表示していたタッチ領域の表示を継続している画面画像の例を示す説明図である。
【図８】同実施形態において、画像の切替前に表示していたタッチ領域の表示を終了した画面画像の例を示す説明図である。
【図９】本発明の第２の実施形態における操作入力装置の機能構成を示す概略ブロック図である。
【発明を実施するための形態】
【００１７】
＜第１の実施形態＞
以下、図面を参照して、本発明の実施の形態について説明する。
図１は、本発明の第１の実施形態における電子機器の機能構成を示す概略ブロック図である。同図において、電子機器１０は、入力デバイス１４と、近接検出部１５と、要求処理判定部１６と、処理実行部１７と、切替抑制部１８とを具備する。
【００１８】
入力デバイス１４は、ユーザ操作を受ける。ここで、操作体を入力デバイスに接触ないし近接させてユーザ操作を行う様々な入力デバイスを入力デバイス１４として用いることができる。例えば、入力デバイス１４が、タッチパネルを構成するタッチセンサを有していてもよいし、押ボタンを有していてもよい。
なお、ここでいう操作体とは、ユーザ操作において操作入力部に作用する物体である。例えば、入力デバイス１４がタッチパネルである場合、操作体の一例として、指やスタイラスペンが挙げられる。あるいは、入力デバイス１４が押ボタンである場合、操作体の一例として指が挙げられる。
【００１９】
近接検出部１５は、入力デバイス１４の少なくとも一部分について、当該入力デバイス１４への操作体の近接を検出する。近接検出部１５の構成として、物体の近接を検出可能な様々な構成を用いることができる。例えば、近接検出部１５は、入力デバイス１４の近傍に設けられた反射型フォトセンサを有し、反射光を測定して、入力デバイス１４に近接している物体の有無を判定する。あるいは、近接検出部１５が、カメラを有して入力デバイス１４の周囲を撮像し、撮像画像を解析して入力デバイス１４に近接している物体の有無を判定するようにしてもよい。さらには、近接検出部１５が、撮像画像を解析して入力デバイス１４に近接している物体を検出した際、形状マッチング等にて当該物体が操作体か否かを判定するようにしてもよい。
【００２０】
ここで、近接検出部１５は、必ずしも入力デバイス１４の全体について操作体の近接を検出する必要は無い。近接検出部１５が入力デバイス１４への操作体の近接を検出する目的は、新たな機能が立ち上がるなどしてユーザ操作と処理との対応付けが切り替わる際に、切替の前後で処理が異なるユーザ操作の有無を把握することである。従って、近接検出部１５は、入力デバイス１４のうち、ユーザ操作に対する処理が変更される部分についてのみ、操作体の近接を検出すればよい。
【００２１】
例えば、入力デバイス１４のうち、ユーザ操作と処理との対応付けの切替（すなわち、判定基準の切替）の前後でユーザ操作に対する処理が同じ部分については、近接検出部１５は、操作体の近接を検出する必要は無い。また、入力デバイス１４がタッチパネルを構成するタッチセンサを有する場合、タッチパネルのうち表示のみを行ってユーザ操作を受け付けない領域については、近接検出部１５は、操作体の近接を検出する必要は無い。また、入力デバイス１４が押ボタンを有する場合、処理の割り当てられていない押ボタンについては、近接検出部１５は、操作体の近接を検出する必要は無い。
【００２２】
このように、近接検出部１５が、入力デバイス１４のうちユーザ操作に対する処理が変更される部分についてのみ、操作体の近接を検出することで、判定基準の切替の前後で処理が異なるユーザ操作の有無を、より正確に把握することができる。判定基準の切替の前後で処理が異なるユーザ操作の有無をより正確に把握することで、後述する切替抑制部１８が判定基準の切替を抑制する頻度を低減させることができる。切替抑制部１８が判定基準の切替を抑制する頻度を低減させることで、処理実行部１７は、よりスムーズに機能を実行することができる。
【００２３】
要求処理判定部１６は、複数の判定基準を切り替えて用いて、前記入力デバイスへのユーザ操作にて要求されている処理を判定する。ここでいう判定基準は、ユーザ操作と、当該ユーザ操作が行われた場合に実行すべき処理とが対応付けられた情報である。
要求処理判定部１６は、例えば処理実行部１７が実行可能な機能毎など複数の判定基準を予め記憶しておき、要求処理判定部１６は、例えば処理実行部１７が実行中の機能に応じた判定基準を用いる。入力デバイス１４がユーザ操作を受けると、要求処理判定部１６は、判定基準にて当該ユーザ操作に対応付けられている処理を、当該ユーザ操作にて要求されている処理（従って、処理実行部１７が実行すべき処理）と判定して処理実行部１７に通知する。
【００２４】
処理実行部１７は、各種機能を実行する。例えば、処理実行部１７がコンピュータである場合、処理実行部１７は、各種アプリケーション（アプリケーション・プログラム）を実行する。
機能の実行に際して、処理実行部１７は、要求処理判定部１６が判定した処理を実行する。すなわち、入力デバイス１４がユーザ操作を受けると、処理実行部１７は、当該ユーザ操作にて要求されている処理であると要求処理判定部１６が判定した処理を実行する。
【００２５】
切替抑制部１８は、近接検出部１５が入力デバイス１４の少なくとも一部分への操作体の近接を検出すると、要求処理判定部１６が用いる判定基準の切替を少なくとも一時的に抑制する。ここでいう少なくとも一時的に抑制することの一例として、遅延させることや、中止させることが挙げられる。
上述したように、近接検出部１５が入力デバイス１４への操作体の近接を検出する目的は、新たな機能が立ち上がるなどしてユーザ操作と処理との対応付けが切り替わる際に、切替の前後で処理が異なるユーザ操作の有無を判定することである。すなわち、近接検出部１５が入力デバイス１４への操作体の近接を検出した場合、要求処理判定部１６が用いる判定基準を切り替えると、ユーザ操作に基づいてユーザの意図する処理とは異なる処理が行われてしまうおそれがある。そこで、切替抑制部１８は、近接検出部１５が入力デバイス１４への操作体の近接を検出すると、要求処理判定部１６が用いる判定基準の切替を少なくとも一時的に抑制することで、ユーザの意図する処理とは異なる処理が行われるおそれを低減させる。
【００２６】
例えば、切替抑制部１８は、判定基準の切替を所定時間だけ遅らせる。あるいは、切替抑制部１８は、ユーザ操作が完了するまで判定基準の切替を遅らせる。あるいは、切替抑制部１８は、近接検出部１５が入力デバイス１４への操作体の近接を検出しなくなるまで判定基準の切替を遅らせる。あるいは、切替抑制部１８は、これらの組み合わせにて判定基準の切替を遅らせる。さらに、判定基準の切替を遅らせている間に切替の必要が無くなった場合、切替抑制部１８は、判定基準の切替を中止させる。
【００２７】
以上のように、近接検出部１５が入力デバイス１４への操作体の近接を検出すると、切替抑制部１８は、要求処理判定部１６がユーザ操作にて要求されている処理の判定に用いる判定基準の切替を少なくとも一時的に抑制する。
これにより、ユーザの行った操作にて、ユーザの意図する処理とは異なる処理が行われる誤操作を低減させることができる。
すなわち、近接検出部１５は、入力デバイス１４への操作体の近接を検出することで、ユーザ操作が行われる途中の状態にあって判定基準が切り替わるとユーザの意図する処理とは異なる処理が行われるおそれがあることを検出する。そして、近接検出部１５が入力デバイス１４への操作体の近接を検出した場合、切替抑制部１８は、判定基準の切替を少なくとも一時的に抑制することで、ユーザの行った操作にて、ユーザの意図する処理とは異なる処理が行われる誤操作を低減させる。
【００２８】
なお、入力デバイス１４のうちユーザ操作に対する処理が変更される部分の絞り込みを、近接検出部１５ではなく切替抑制部１８が行うようにしてもよい。
例えば、入力デバイス１４がタッチパネルを構成するタッチセンサを有する場合、近接検出部１５は、タッチパネル全面について、操作体の近接を検出する。操作体の近接を検出した場合、近接検出部１５は、操作体の検出位置情報をタッチ画面における位置情報にて切替抑制部１８へ出力する。
そして、切替抑制部１８は、要求処理判定部１６が用いている判定基準を参照して、操作体の検出位置が、ユーザ操作に対する処理が変更される部分に該当するか否かを判定し、該当すると判定した場合に、要求処理判定部１６が用いる判定基準の切替を少なくとも一時的に抑制する。
【００２９】
このように、切替抑制部１８は、判定基準の切替抑制の対象とする操作体検出領域を、入力デバイス１４のうちユーザ操作に対する処理が変更される部分に絞り込むことで、判定基準の切替を抑制する頻度を低減させることができる。切替抑制部１８が判定基準の切替を抑制する頻度を低減させることで、処理実行部１７は、よりスムーズに機能を実行することができる。
【００３０】
次に、図２を参照して、本発明を携帯端末装置に適用した場合を例に、本発明の実施形態についてさらに詳細に説明する。ここでいう携帯端末装置は、携帯電話網（通信事業者が提供する携帯電話用の無線通信ネットワーク）に接続可能な端末装置である。携帯端末装置の具体例として、携帯電話機やスマートフォンが挙げられる。
但し、本発明の適用範囲は、携帯端末装置に限らない。例えば、パソコンや、携帯情報端末（Personal Digital Assistant；ＰＤＡ）など、ユーザの意図しないタイミングで同一の操作入力に対する処理が変わり得る様々な電子機器に本発明を適用可能である。例えば、ソコンの場合、ユーザの意図しないタイミングで同一の操作入力に対する処理が変わる一例として、ユーザがパソコンにてインターネット・ブラウザ（Internet Browser）の起動操作を行ったがなかなか起動せず、ユーザが他の機能に対する操作を行っている際に突然インターネット・ブラウザが起動した場合が挙げられる。この場合、ユーザが他の機能に対して行った操作が、インターネット・ブラウザに対する操作として処理されてしまう誤操作が生じるおそれがある。
【００３１】
図２は、本実施形態における携帯端末装置の機能構成を示す概略ブロック図である。同図において、携帯端末装置１００は、送受信部１１０と、送受信制御回路１２０と、表示部１３０と、タッチセンサ１４０と、近接検出部１５０と、制御部１６０と、記憶部１７０とを具備する。表示部１３０は、表示画面１３１を具備する。制御部１６０は、要求処理判定部１６１と、処理実行部１６２と、切替抑制部１６３とを具備する。
【００３２】
送受信部１１０は、携帯電話の無線基地局との間で無線通信を行うことで、携帯電話網に接続して各種データの送受信を行う。例えば、送受信部１１０は、音声通話の発着信や、音声通話時における音声データの送受信を行う。また、送受信部１１０は、電子メールデータの送受信を行う。また、送受信部１１０は、インターネット・ブラウジング時におけるＨＴＴＰ（Hypertext Transfer Protocol）リクエストファイルの送信およびＨＴＴＰレスポンスファイルの受信を行う。
送受信制御回路１２０は、送受信部１１０を制御して無線通信を実行させる。
【００３３】
表示部１３０は、例えば液晶パネルまたは有機ＥＬ（Organic Electro-Luminescence）パネルなどの表示画面１３１を有し、動画像や静止画像やテキスト（文字）など各種画像を表示する。特に、表示部１３０は、タッチセンサ１４０と共にタッチパネルを構成し、タッチ領域を表示画面１３１に表示する。その際、表示部１３０は、要求処理判定部１６１が用いている判定基準に応じてタッチ領域を表示画面１３１に表示することで、処理実行部１６２が実行する機能に応じたタッチ領域を表示する。
【００３４】
上述したように、ここでいう判定基準とは、ユーザ操作と、当該ユーザ操作が行われた場合に実行すべき処理とが対応付けられた情報である。また、後述するように、要求処理判定部１６１は、処理実行部１６２が実行する機能に応じて判定基準を切り替えて用いる。従って、表示部１３０は、要求処理判定部１６１が用いている判定基準に応じてタッチ領域を表示することで、処理実行部１６２が実行している機能に応じたタッチ領域を表示することができる。
【００３５】
タッチセンサ１４０は、入力デバイス１４（図１）の一例に該当し、ユーザ操作を受ける。特に、タッチセンサ１４０は、表示画面１３１に設けられて表示画面１３１と共にタッチパネルを構成する。そして、タッチセンサ１４０は、表示画面１３１へのタッチ操作をユーザ操作として検出する。
【００３６】
近接検出部１５０は、近接検出部１５の一例に該当し、タッチセンサ１４０の少なくとも一部分について、当該タッチセンサ１４０への操作体の近接を検出する。具体的には、近接検出部１５０は、タッチセンサ１４０が構成するタッチパネルの少なくとも一部分について、当該タッチパネルへの操作体の近接を検出する。例えば、近接検出部１５０は、タッチパネルの近傍に設けられた距離センサを用いて、タッチパネルに近接している物体（操作体とみなされる物体）の有無を検出する。タッチパネルに近接している物体がある場合、近接検出部１５０は、当該物体のタッチ画面における位置を検出する。
【００３７】
図３は、近接検出部１５０が有する距離センサの配置例を示す説明図である。同図において、タッチセンサ１４０の構成するタッチパネルの周囲４箇所に、近接検出部１５０の距離センサが配置されている。距離センサにて検出可能な位置に物体がある場合、近接検出部１５０は、各距離センサから物体までの距離を測定し、例えば各距離センサからの距離の平均値が所定の閾値以下の場合に、タッチパネルへの操作体の近接ありと判定する。
【００３８】
また、近接検出部１５０は、各距離センサから当該物体までの距離に基づいて、タッチパネルにおける当該物体の位置を検出する。
ここでいうタッチパネルにおける物体の位置とは、タッチ平面のうち、当該物体に最も近い位置である。近接検出部１５０は、例えば、タッチパネルに設定された二次元座標（ＸＹ座標）にて、当該物体の位置を検出する。
【００３９】
但し、近接検出部１５の場合と同様、近接検出部１５０の構成として、物体の近接を検出可能な様々な構成を用いることができる。例えば、近接検出部１５０が、タッチセンサ１４０の構成するタッチパネル近傍に設けられた反射型フォトセンサを有し、当該反射型フォトセンサの検出距離内に物体を検出した場合に、タッチパネルに近接している操作体ありと判定するようにしてもよい。
【００４０】
あるいは、近接検出部１５０が、カメラを有してタッチセンサ１４０の構成するタッチパネルの周囲を撮像し、撮像画像を解析して当該タッチパネルに近接している物体の有無を判定するようにしてもよい。さらには、近接検出部１５０が、撮像画像を解析して当該タッチパネルに近接している物体を検出した際、形状マッチング等にて当該物体が操作体か否かを判定するようにしてもよい。
【００４１】
制御部１６０は、携帯端末装置１００の各部を制御して各種機能を実行する。制御部１６０は、例えば、携帯端末装置１００の具備するＣＰＵ（Central Processing Unit；中央処理装置）が、携帯端末装置１００の具備する記憶デバイスからプログラムを読み出して実行することによって構成される。あるいは、制御部１６０が専用回路にて構成されるなど、ＣＰＵ以外を用いた構成としてもよい。
【００４２】
要求処理判定部１６１は、要求処理判定部１６の一例に該当し、複数の判定基準を切り替えて用いて、タッチセンサ１４０へのユーザ操作にて要求されている処理を判定する。
具体的には、要求処理判定部１６１は、画面画像（表示画面に表示する画像）のパターン毎に、画面画像におけるタッチ領域の位置と、各タッチ領域へのタッチ操作に対して実行すべき処理とを対応付けた判定基準を予め記憶しておく。そして、要求処理判定部１６１は、表示部１３０が表示画面１３１に表示している画面画像に応じた判定基準を用いる。タッチセンサ１４０がユーザ操作を受けると、要求処理判定部１６１は、判定基準にて当該ユーザ操作に対応付けられている処理を、当該ユーザ操作にて要求されている処理（従って、処理実行部１６２が実行すべき処理）と判定して処理実行部１６２に通知する。
処理実行部１６２は、各種アプリケーション・プログラムを実行することで、各種機能を実行する。また、処理実行部１６２は、処理実行部１７の一例に該当し、機能の実行に際して、要求処理判定部１６１が判定した処理を実行する。
【００４３】
切替抑制部１６３は、切替抑制部１８の一例に該当し、近接検出部１５０がタッチセンサ１４０の少なくとも一部への操作体の近接を検出すると、判定基準の切替を少なくとも一時的に抑制する。特に、切替抑制部１６３は、表示画面１３１に表示されているタッチ領域のうち、判定基準の切替にてタッチ操作の際の処理が変更されるタッチ領域への操作体の近接を近接検出部１５０が検出すると、判定基準の切替を少なくとも一時的に抑制する。
【００４４】
具体的には、切替抑制部１６３は、要求処理判定部１６１が用いている判定基準を参照して、タッチパネルにおける当該操作体の検出位置が、ユーザ操作に対する処理が変更される部分に該当するか否かを判定する。該当すると判定した場合、切替抑制部１６３は、要求処理判定部１６が用いる判定基準の切替を少なくとも一時的に抑制する。
さらに、切替抑制部１６３は、近接検出部１５０がタッチセンサ１４０への操作体の近接を検出すると、表示部１３０が表示画面１３１に表示する画像の切替を少なくとも一時的に抑制する。
【００４５】
図４は、切替抑制部１６３が画像の切替を抑制する前の状態における画面画像の例を示す説明図である。同図では、電子メール作成画面の例を示している。図４に示す電子メール作成画面は、タイトルの表示領域Ａ１１と、メニューボタンの領域Ａ１２と、作成している電子メールの表示領域Ａ１３と、操作キーの領域Ａ１４とを含んでいる。
【００４６】
これらのうち、タイトルの表示領域Ａ１１と、作成している電子メールの表示領域Ａ１３とは、ユーザ操作を受け付けない表示専用の領域として設定されている。
また、メニューボタンの領域Ａ１２は、処理実行部１６２が実行可能な機能のメニューを表示する領域であり、各画面画像に共通して設けられている。従って、メニューボタンの領域Ａ１２は、判定基準の切替の前後でユーザ操作に対する処理が同じ領域となっている。
一方、操作キーの領域Ａ１４は、例えば後述する着信画面においては、通話開始を指示するタッチ領域の一部に相当する。このように、操作キーの領域Ａ１４は、判定基準の切替の前後でユーザ操作に対する処理が異なる領域（すなわち、ユーザ操作に対する処理が変更される部分）となっている。
【００４７】
図５は、切替抑制部１６３が画像の切替を抑制している状態における画面画像の例を示す説明図である。図５では、表示部１３０が図４の電子メール作成画面を表示している状態で音声通話の着信があった場合に、切替抑制部１６３が画像の切替を抑制している例を示している。
切替抑制部１６３が画像の切替を抑制していることで、表示部１３０は、着信画面の表示を行わずに電子メール作成画面の表示を継続している。
【００４８】
具体的には、表示部１３０は、メニューボタンの領域Ａ１２と、作成している電子メールの表示領域Ａ１３と、操作キーの領域Ａ１４との表示を継続している。このように、表示部１３０が電子メール作成画面の表示を継続することで、ユーザは、操作しかけのタッチ操作を確実に行うことができる。また、要求処理判定部１６１が電子メール作成画面に応じた判定基準の使用を継続することで、要求処理判定部１６１は、ユーザが行った処理に応じた電子メール作成処理を処理実行部１６２に指示することができる。このように、携帯端末装置１００は、ユーザの行った操作にてユーザの意図する処理とは異なる処理が行われる誤操作を低減させることができる。
【００４９】
一方、表示部１３０は、図４におけるタイトルの表示領域Ａ１１を着信の表示領域Ａ２１に切り替えて着信があることを表示している。
これにより、ユーザは、着信があることを認識して電子メール作成操作を中断することができる。ユーザが電子メール作成操作を中断した後に、表示部１３０が電子メール作成画面から着信画面に切り替え、要求処理判定部１６１が、判定基準を着信画面に応じた判定基準に切り替えることで、携帯端末装置１００は、ユーザの行った電子メール作成操作を、音声通話開始を指示する操作として処理してしまうことを防止できる。このように、携帯端末装置１００は、ユーザ操作が誤操作となってしまうことを防止し得る。
【００５０】
図２に戻って、記憶部１７０は、携帯端末装置１００の具備する記憶デバイスにて構成され、各種データを記憶する。例えば、記憶部１７０は、携帯端末装置１００の具備するＣＰＵが実行するための各種プログラムや、機能実行のための各種設定データや、ユーザが生成したデータを記憶する。また、記憶部１７０はワーキングメモリとしても用いられる。
【００５１】
次に図６を参照して、携帯端末装置１００の動作について説明する。
図６は、携帯端末装置１００が機能を実行する処理手順を示すフローチャートである。携帯端末装置１００は、自らの電源を接続（ＯＮ）されて起動し動作状態となると、同図の処理を行う。
【００５２】
図６の処理において、まず、処理実行部１６２は、新たな機能の起動要求など、画面画像や判定基準の切替の契機となる事象が発生しているか否かを判定する（ステップＳ１０１）。
当該事象が発生していると判定した場合（ステップＳ１０１：ＹＥＳ）、切替抑制部１６３は、近接検出部１５０からのセンサ信号に基づいて、タッチセンサ１４０が構成するタッチパネルのうち、判定基準を切り替えるとユーザ操作に対する処理が変更される部分に操作体が近接しているか否かを判定する（ステップＳ１０２）。
【００５３】
操作体が近接していると判定した場合（ステップＳ１０２：ＹＥＳ）、すなわち、操作体の近接を検出した場合、切替抑制部１６３は、画面画像や判定基準の切替を抑制する（ステップＳ１１１）。
次に、切替抑制部１６３は、画面画像の切替予告を表示部１３０に表示させる（ステップＳ１１２）。そして、制御部１６０（特に、要求処理判定部１６１および処理実行部１６２）は、機能実行のための処理を行う（ステップＳ１１３）。すなわち、制御部１６０は、切替の事象発生前から実行している機能を実行するための処理を継続する。
【００５４】
次に、処理実行部１６２は、タッチ操作が完了したか否かを判定する（ステップＳ１１４）。具体的には、タッチセンサ１４０がタッチ操作を検出すると、処理実行部１６２は、タッチ操作が完了したと判定する。
タッチ操作が完了したと判定した場合（ステップＳ１１４：ＹＥＳ）、制御部１６０（特に、要求処理判定部１６１および処理実行部１６２）は通常動作を行う（ステップＳ１３１）。ここでいう通常動作は、画像切替や判定基準の切替に対する制限のない状態での、機能を実行するための動作（処理）である。
ステップＳ１３１の後、ステップＳ１０１へ戻る。
【００５５】
一方、ステップＳ１１４において、タッチ操作が完了していないと判定した場合（ステップＳ１１４：ＮＯ）、切替抑制部１６３は、画面画像や判定基準の切替を抑制してから所定時間が経過したか否かを判定する（ステップＳ１２１）。所定時間経過したと判定した場合（ステップＳ１２１：ＹＥＳ）、ステップＳ１３１へ進む。
【００５６】
一方、ステップＳ１２１において、所定時間経過していないと判定した場合（ステップＳ１２１：ＮＯ）、ステップＳ１１３へ戻る。
ここで、所定時間を例えば０．３秒など比較的短い時間とすることで、ユーザが画面の切り替わりを期待している場合に、表示部１３０がスムーズに画面を切り替えることができ、ユーザが違和感を抱くおそれを軽減できる。
【００５７】
一方、ステップＳ１０１において、画面画像や判定基準の切替の契機となる事象が発生していないと判定した場合（ステップＳ１０１：ＮＯ）、ステップＳ１３１へ進む。
また、ステップＳ１０２において、操作体が近接していないと判定した場合（ステップＳ１０１：ＮＯ）、すなわち、操作体の近接を検出しなかった場合も、ステップＳ１３１へ進む。
【００５８】
以上のように、近接検出部１５０がタッチセンサ１４０への操作体の近接を検出すると、切替抑制部１６３は、要求処理判定部１６１がユーザ操作にて要求されている処理の判定に用いる判定基準の切替を少なくとも一時的に抑制する。
これにより、ユーザの行った操作にて、ユーザの意図する処理とは異なる処理が行われる誤操作を低減させることができる。
すなわち、近接検出部１５０は、タッチセンサ１４０への操作体の近接を検出することで、ユーザ操作が行われる途中の状態にあって判定基準が切り替わるとユーザの意図する処理とは異なる処理が行われるおそれがあることを検出する。そして、近接検出部１５０がタッチセンサ１４０への操作体の近接を検出した場合、切替抑制部１６３は、判定基準の切替を少なくとも一時的に抑制することで、ユーザの行った操作にて、ユーザの意図する処理とは異なる処理が行われる誤操作を低減させる。
【００５９】
また、表示部１３０は、要求処理判定部１６１が用いている判定基準に応じてタッチ領域を表示画面１３１に表示する。
これにより、要求処理判定部１６１は、表示部１３０が表示画面１３１に表示している表示領域に対応した判定基準を用いることになり、ユーザ操作が行われた際、ユーザの意図する処理を処理実行部１６２に指示することが期待される。従って、ユーザの行った操作にて、ユーザの意図する処理とは異なる処理が行われる誤操作を低減させることができる。
【００６０】
また、切替抑制部１６３は、表示画面１３１に表示されているタッチ領域のうち、判定基準の切替にてタッチ操作の際の処理が変更されるタッチ領域への操作体の近接を近接検出部１５０が検出すると、判定基準の切替を少なくとも一時的に抑制する。
このように、切替抑制部１６３は、判定基準の切替抑制の対象とする操作体検出領域を、タッチセンサ１４０の構成するタッチパネルのうち、ユーザ操作に対する処理が変更される部分に絞り込むことで、判定基準の切替を抑制する頻度を低減させることができる。切替抑制部１６３が判定基準の切替を抑制する頻度を低減させることで、処理実行部１６２は、よりスムーズに機能を実行することができる。
【００６１】
また、切替抑制部１６３は、近接検出部１５０がタッチセンサ１４０の少なくとも一部への操作体の近接を検出すると、表示部１３０が表示画面１３１に表示する画像の切替を少なくとも一時的に抑制する。
これにより、ユーザは、表示画面１３１に表示されている画像を参照しながらユーザ操作を行うことができるので、より容易にユーザ操作を行い得る。
【００６２】
なお、切替抑制部１６３が判定基準の切替を遅らせる遅延幅は、図６のステップＳ１１４およびＳ１２１に示されている、タッチ操作完了と所定時間経過との組み合わせによる遅延幅に限らない。切替抑制部１８の場合と同様、切替抑制部１６３が判定基準の切替を遅らせる遅延幅は、様々に設定可能である。
例えば、切替抑制部１６３が、判定基準の切替を所定時間だけ遅らせるようにしてもよい。あるいは、切替抑制部１６３が、ユーザ操作が完了するまで判定基準の切替を遅らせるようにしてもよい。あるいは、切替抑制部１６３が、タッチセンサ１４０の構成するタッチパネルへの操作体の近接を近接検出部１５０が検出しなくなるまで判定基準の切替を遅らせるようにしてもよい。あるいは、切替抑制部１６３が、これらの組み合わせにて判定基準の切替を遅らせるようにしてもよい。さらに、判定基準の切替を遅らせている間に切替の必要が無くなった場合、切替抑制部１６３が、判定基準の切替を中止させるようにしてもよい。
【００６３】
なお、タッチセンサ１４０のタッチ領域のうち、判定基準の切替の前後でユーザ操作に対する処理が異なる領域の絞り込みを、切替抑制部１６３ではなく近接検出部１５０が行うようにしてもよい。
具体的には、近接検出部１５０が、タッチセンサ１４０のタッチ領域のうち、判定基準の切替の前後でユーザ操作に対する処理が異なる領域についてのみ、当該領域に近接している物体の有無を検出するようにする。特に、表示部１３０が表示画面１３１に表示する各画面画像において、同じ位置に判定基準の切替の前後でユーザ操作に対する処理が異なる領域が設けられている場合、近接検出部１５０が、当該領域についてのみ、近接している物体の有無を検出するようにするようにしてもよい。
【００６４】
なお、タッチセンサ１４０が検出するタッチ領域と、表示部１３０が表示するタッチ領域とを一致させる方法は、上述した、表示部１３０が表示画面１３１に表示する画像の切替を切替抑制部１６３が抑制する方法に限らない。例えば、切替抑制部１６３が判定基準の切替を抑制している状態で表示部１３０が表示画面１３１に表示する画像を切り替える場合に、表示部１３０が、画像の切替前に表示していたタッチ領域の表示を継続するようにしてもよい。
【００６５】
図７は、画像の切替前に表示していたタッチ領域の表示を継続している画面画像の例を示す説明図である。同図は、図４に示す電子メール作成画面から着信画面に切り替わる際の例を示している。携帯端末装置１００（特に、切替抑制部１６３および表示部１３０）は、図６のステップＳ１１１における画面画像切替の抑制およびステップＳ１１２における切替予告表示に代えて、図７の例のように部分的に切り替わった画面画像の表示を行う。
【００６６】
図４におけるユーザ操作を受け付けない表示専用の領域と各画面画像に共通の領域には、図７においては切替後の画面画像が表示されている。
具体的には、図７において、タイトルの表示領域Ａ３１には、着信画面のタイトルが表示されている。また、図４における作成している電子メールの表示領域Ａ１３に対応する領域Ａ３３には、着信画面の画像が表示されている。なお、領域Ａ３３は、音声通話開始を指示するタッチ操作を受ける領域となっている。
また、メニューボタンの領域Ａ１２は、各画面画像に共通して設けられる領域であり、着信画面にも用いられている。
【００６７】
一方、図４における、判定基準の切替の前後でユーザ操作に対する処理が異なる領域である操作キーの領域Ａ１４は、図７においても引き続き表示されている。
【００６８】
図８は、画像の切替前に表示していたタッチ領域の表示を終了した画面画像の例を示す説明図である。同図は、図７の例から画像の切替前に表示していたタッチ領域の表示を終了した例を示している。
図８の例では、図７における操作キーの領域Ａ１４も着信画面に切り替わり、画面画像全体が着信画面となっている。領域Ａ３１およびＡ１２は図７の場合と同様である。また、領域Ａ４３は、音声通話開始を指示するユーザ操作を受けるタッチ領域となっている。
【００６９】
以上のように、表示部１３０は、切替抑制部１６３が判定基準の切替を抑制している状態で表示画面に表示する画像を切り替える場合、画像の切替前に表示していたタッチ領域の表示を継続する。
これにより、ユーザは、表示画面１３１に表示されているタッチ領域の表示を参照しながらユーザ操作を行うことができるので、より容易にユーザ操作を行い得る。
また、ユーザは、切り替わった領域の画像を参照して、表示画面の切替が行われていることを認識し、切替前の画像におけるタッチ操作を中止することができる。
【００７０】
＜第２の実施形態＞
図９は、本発明の第２の実施形態における操作入力装置の機能構成を示す概略ブロック図である。同図において、操作入力装置２０は、入力デバイス１４と、近接検出部１５と、要求処理判定部１６と、要求処理信号出力部２７と、切替抑制部１８とを具備する。図９において図１の各部に対応して同様の機能を有する部分に同一の符号（１４、１５、１６、１８）を付して説明を省略する。
要求処理信号出力部２７は、要求処理判定部１６１の判定した処理を示す信号を出力する。すなわち操作入力装置２０は、ユーザ操作を検出し、検出したユーザ操作に対応する処理を他の装置に行わせる。
【００７１】
以上のように、要求処理判定部１６１は、複数の判定基準を切り替えて用いて、タッチセンサ１４０へのユーザ操作にて要求されている処理を判定する。そして、要求処理信号出力部２７は、要求処理判定部１６１が判定した処理を示す信号を出力する。また、近接検出部１５０がタッチセンサ１４０の少なくとも一部分への操作体の近接を検出すると、切替抑制部１６３は、要求処理判定部１６１がユーザ操作にて要求されている処理の判定に用いる判定基準の切替を少なくとも一時的に抑制する。
これにより、ユーザの行った操作にて、ユーザの意図する処理とは異なる処理が行われる誤操作を低減させることができる。
すなわち、近接検出部１５０は、タッチセンサ１４０への操作体の近接を検出することで、ユーザ操作が行われる途中の状態にあって判定基準が切り替わるとユーザの意図する処理とは異なる処理が行われるおそれがあることを検出する。そして、近接検出部１５０がタッチセンサ１４０への操作体の近接を検出した場合、切替抑制部１６３は、判定基準の切替を少なくとも一時的に抑制することで、ユーザの行った操作にて、ユーザの意図する処理とは異なる処理が行われる誤操作を低減させる。
【００７２】
なお、電子機器１０や、携帯端末装置１００や、操作入力装置２００の機能の全部または一部を実現するためのプログラムをコンピュータ読み取り可能な記録媒体に記録して、この記録媒体に記録されたプログラムをコンピュータシステムに読み込ませ、実行することで各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７３】
以上、本発明の実施形態を図面を参照して詳述してきたが、具体的な構成はこの実施形態に限られるものではなく、この発明の要旨を逸脱しない範囲の設計変更等も含まれる。
【符号の説明】
【００７４】
１０  電子機器
１４  入力デバイス
１５、１５０  近接検出部
１６、１６１  要求処理判定部
１７、１６２  処理実行部
１８、１６３  切替抑制部
１００  携帯端末装置
１１０  送受信部
１２０  送受信制御回路
１３０  表示部
１３１  表示画面
１４０  タッチセンサ
１６０  制御部
１７０  記憶部
２０  操作入力装置
２７  要求処理信号出力部
【図１】
2014119875.tif 000003
【図２】
2014119875.tif 000004
【図３】
2014119875.tif 000005
【図４】
2014119875.tif 000006
【図５】
2014119875.tif 000007
【図６】
2014119875.tif 000008
【図７】
2014119875.tif 000009
【図８】
2014119875.tif 000010
【図９】
2014119875.tif 000011